(57)【要約】【課題】構造が簡単で着脱しやすいカメラの外部付加式レンズの固定フレーム構造を提供する。【解決手段】固定ベース１のある側より上向いて連接板２が延出形成され、当該連接板２の形状はそれぞれ異なる形式のカメラに応じて変更設計でき、且つその連接板２より上向いてレンズ保護枠３が延出形成され、当該レンズ保護枠３と前記連接板２との間は一体成形によって結合される構造に形成され、レンズ保護枠３の前端部の内縁部にはネジ山３１が形成されることによって外部付加式レンズ８を取付け可能にし、また、固定ベース１には保護パッド４が取付けられる。【選択図】図１。
0003102666.tif 000002
【実用新案登録請求の範囲】
【請求項１】
ある側より上向きに延伸して連接板を形成し、且つ前記連接板において前向きに延出してレンズ保護枠を形成し、このレンズ保護枠の前端部の内縁部にネジ山を形成し、且つ保護パッドを取り付けて配置し、前記保護パッドに穴を形成した固定ベースと、
複数のネジ山を形成し、且つ底端部にネジ穴を有するロック部材と、を備えていることを特徴とする、
カメラの外部付加式レンズの固定フレーム構造。
【請求項２】
前記連接板と前記固定ベースの形状は、それぞれ異なるタイプのカメラに適用できるように、それぞれ異なるタイプのカメラの形状に応じて変更して形成したことを特徴とする、
請求項１に記載のカメラの外部付加式レンズの固定フレーム構造。
【請求項３】
前記レンズ保護枠として階段状の物品を使用できると共に、伸縮レンズの長さと大きさに応じて変更できるように設定したことを特徴とする、
請求項１に記載のカメラの外部付加式レンズの固定フレーム構造。
【考案の詳細な説明】
【技術分野】
【０００１】
本考案は、カメラの外部付加式レンズの固定フレーム構造に係わり、特に外部付加式レンズを気軽に着脱でき、写真を撮る際の効果を大幅に増加できる、カメラの外部付加式レンズの固定フレーム構造に関する考案である。
【背景技術】
【０００２】
科学技術の日進月歩にしたがって、マーケットにおいては多くの製品が既にデジタル化の領域に踏み込み、最近ではレジャー風が盛んになっており、カメラによって写真を撮って記念とすることが既にレジャー生活において欠かせないものとなった。しかしながら、マーケットにおいて販売されるカメラの中には、その光学焦点変更の倍率が既に決まっており、もし使用者がさらに好ましい撮影効果を取得しようとする場合、ハイ・グレードのカメラに変えなければならなくなる。そうすることで所要の効果を取得できる。最近では、既に接続リングによって外部付加レンズを付加できるようにしたものがあるが、その接続リングはすべて高価なシングル・アイのカメラに使用され、その操作と使用とがかなり複雑であり、一般の使用者は扱いにくくなる場合があり、効果的に普遍化することが出来ない。また、最近使用されている伸縮レンズ付きのカメラは依然として有効に外部付加レンズを付加できず、その写真を撮る機能を拡大することができない。
【０００３】
前記の説明から分かるように、従来の物品には依然として多くの課題を有するので、良好的な設計ではなく、至極改善する必要がある。
【０００４】
本考案の考案者は、前記の従来物のそれぞれの項の欠点に鑑みて、研究開発を進め、多年間試作と開発をした結果、本考案のカメラの外部付加式レンズの固定フレーム構造を得るに至った。
【考案の開示】
【考案が解決しようとする課題】
【０００５】
本考案は、外部付加式レンズを気軽に着脱でき、写真を撮る機能を大幅に向上できる、カメラの外部付加式レンズの固定フレーム構造を提供することをその主要な解決しようとする課題とする。
【０００６】
また、本考案は、構造が簡単で製造しやすいカメラの外部付加式レンズの固定フレーム構造を提供することをその次の解決しようとする課題とする。
【０００７】
また、本考案は、使用便利で、操作が容易である多くの優れる点を有するカメラの外部付加式レンズの固定フレーム構造を提供することをその第三の解決しようとする課題とする。
【課題を解決するための手段】
【０００８】
前記のそれぞれの課題を解決するために、本考案は、ある側より上向きに延伸して連接板を形成し、且つ前記連接板において前向きに延出してレンズ保護枠を形成し、このレンズ保護枠の前端部の内縁部にネジ山を形成し、且つ保護パッドを取り付けて配置し、前記保護パッドに穴を形成した固定ベースと、複数のネジ山を形成し、且つ底端部にネジ穴を有するロック部材と、を備えていることを特徴とする、カメラの外部付加式レンズの固定フレーム構造を提供する。
前記した連接板と前記固定ベースの形状は、それぞれ異なるタイプのカメラに適用できるように、それぞれ異なるタイプのカメラの形状に応じて変更して形成してもよい。
また前記レンズ保護枠として階段状の物品を使用できると共に、伸縮レンズの長さと大きさに応じて変更できるように設定してもよい。
【０００９】
使用者が本考案を使用する際に、固定ベースの穴をカメラの底端部の穴の外方に案内し、それらを相互に対応させると共に、ロック部材によってそのレンズ固定フレームとカメラとを相互に固着させ、かつ保護パッドを介してカメラの外見を保護する効果を発揮する。レンズ保護枠がカメラのレンズの前端部に位置し、カメラの伸縮レンズが伸び出す場合に、前記レンズ保護枠の内部に収納される。使用者はレンズ保護枠の前端部のネジ山に外部付加式レンズを旋回して取付けでき、気軽にその機能を拡充でき、大幅に写真を撮る効果を改善できる。使用者は保持フレームに保持して使用しようとする場合、前記ロック部材の底端部のネジ穴と保持フレームとを旋回して連結でき、それを保持フレームに架設して使用できるようにすることができる。その他に、使用者もレンズ保護枠の前端部に接続リングを連結できて、さらにその写真を撮る機能を拡充でき、且つ使用範囲を拡大でき、更新用のコストをなくすことができる。
【考案の効果】
【００１０】
本考案は下記のような優れる点を有する
（１）本考案は保護パッドを設けることによってそれらを取り付けて使用する際に、カメラの外見を効果的に保護できる。
（２）本考案は、レンズ保護枠の前端部の内縁部におけるネジ山に接続リングをロックでき、その拡充機能を向上でき、写真を撮ることの使用範囲を拡大できる。
【００１１】
以下に添付図面を参照しながら本考案の優れた実施の形態を詳細的で具体的に説明する。
【考案を実施するための最良の形態】
【００１２】
図１は本考案の提供するカメラの外部付加式レンズの固定フレーム構造を示す斜視図であり、本考案によるカメラの外部付加式レンズの固定フレーム構造には、主に、固定ベース１を有し、当該固定ベース１のある側より上向いて連接板２が延出して形成される。当該連接板２の形状については、それぞれ異なる形式のカメラに応じて変更設計できる。その連接板２より上向きにレンズ保護枠３が延出して形成される。当該レンズ保護枠３と前記連接板２との間は一体成形によって結合される構造に形成されてもよいが、ネジによって旋回結合する方式によって、または密着の方式によって、または粘着材によって相互に粘着し合う方式などによって作製することが出来る。また、前記レンズ保護枠３が階段状に形成される。その階段状の構造は伸縮レンズの長さと大きさに応じて適宜変更して設計できる。レンズ保護枠３の前端部の内縁部にはネジ山３１が形成され、それによって外部付加式レンズ８を連結可能にする。また、固定ベース１には保護パッド４が取り付けられている。その保護パッド４には模様が形成されており、それによって保護の機能を有するほかに、滑り防止機能も持たせることができる。その保護パッド４には穴４１が貫通して形成される。当該穴４１の底端部には１または２回りのネジ山が形成されており、そのネジ山によって使用者が操作使用する際に、ロック部材５におけるネジ山をその穴４１に螺着して、ロック部材５をがたつきのない状態で固定することができる。カメラ６の伸縮レンズが伸び出す場合に、気軽に取り付けて使用できる。
【００１３】
また本考案は、さらにロック部材５を有する。当該ロック部材５はロック端５１と旋回端５２とを有し、前記ロック端５１の上縁部には複数のネジ山５１１が形成されており、且つ前記旋回端５２の底端部にはネジ穴５３が形成されている。
【００１４】
図２と図３Ａ，３Ｂに示すのは、本考案に係るカメラの外部付加式レンズの固定フレーム構造の結合状態及び使用状態を示す説明図である。使用者が操作使用する際に、固定ベース１の穴４１をカメラ６の底端部の穴６１の外方に当接し、それらの穴同士を対応させてロック部材５によってレンズ固定フレーム７とカメラ６とを相互に結合させる。保護パッド４によってカメラ６の外見を巧みに保護する。この際、レンズ保護枠３がカメラのレンズ６２の前端部に位置し、カメラ６の伸縮レンズが伸び出す場合に、前記レンズ保護枠３の内部に収納され、使用者はレンズ保護枠３の前端部のネジ山３１に外部付加式レンズ８（例えばワイド・アングル・レンズや望遠レンズや魚眼レンズなど）を旋回して取付けでき、気軽に撮影機能を拡充でき、大幅に写真を撮る効果を改善できる。
【００１５】
図４は本考案の提供するカメラの下イブ付加式レンズの固定フレーム構造の保持フレームと結合する場合を示す説明図である。使用者がカメラ６を保持フレーム９に架設して操作使用しようとする場合、前記ロック部材５の底端部のネジ穴５３と保持フレーム９におけるネジとを相互に螺合して結合させ、それを保持フレーム９に架設して操作使用し、使用上の利便性を大幅に向上できる。
【００１６】
図５は本考案のカメラの外部付加式レンズの固定フレーム構造の他の実施の形態を示す説明図である。本考案の固定ベース１と連接板２とレンズ保護枠３の形態はそれぞれ異なる仕様のカメラ６に対応して変更設計でき、それらを多くの種類のカメラ６に適用できるように形成させることが出来、使用者のカメラの更新コストを大幅に減少でき、その他、使用者もレンズ保護枠３の前端部に接続リング１０を取り付けることによって他のいずれの形態の外部付加式レンズ８を取り付けできる。そうすることで写真を撮る機能を効果的に拡充できるばかりか、その使用範囲を大幅に拡大することができる。
【００１７】
前記に詳細に説明した構造は、単に本考案の実施可能な実施例を説明するものに過ぎなく、その実施の形態は本考案の主張範囲を狭義的に制限するものではなく、本考案の要旨を逸脱しないすべての改造や変更などを含むものである。
【図面の簡単な説明】
【００１８】
【図１】本考案のカメラの外部付加式レンズの固定フレーム構造を示す斜視図である。
【図２】本考案のカメラの外部付加式レンズの固定フレーム構造の外部付加式レンズと結合する場合を示す説明図である。
【図３Ａ】本考案のカメラの外部付加式レンズの固定フレーム構造の実施の形態を示す説明図である。
【図３Ｂ】本考案のカメラの外部付加式レンズの固定フレーム構造の実施の形態を示す説明図である。
【図４】本考案のカメラの外部付加式レンズの固定フレーム構造と保持フレームと結合する場合を示す説明図である。
【図５】本考案のカメラの外部付加式レンズの固定フレーム構造の他の実施の形態を示す説明図である。
【符号の説明】
【００１９】
１      固定ベース
２      連接板
３      レンズ保護枠
４      保護パッド
５      ロック部材
６      カメラ
７      レンズ固定フレーム
８      外部付加式レンズ
９      保持フレーム
１０    接続リング
３１    ネジ山
５１    ロック端
５２    旋回端
５３    ネジ穴
６１    穴
５１１  ネジ山
【図１】
0003102666.tif 000003
【図２】
0003102666.tif 000004
【図３Ａ】
0003102666.tif 000005
【図３Ｂ】
0003102666.tif 000006
【図４】
0003102666.tif 000007
【図５】
0003102666.tif 000008